(57)【特許請求の範囲】
【請求項１】
所定配置ピッチの縦線及び横線をその交点で溶着して粗の桝目格子状とするとともに幅方向一方の端部近傍において上記縦線の配置ピッチを縮小するように該端部近傍にピッチ縮小用縦線を配置してその交点で上記横桟に溶着して該端部近傍を部分的に密の桝目格子状とした縦線粗密配置のグリッドパネルを形成し、該グリッドパネルに扉枠を施して、上記密の桝目格子状とした一方の端部を施錠用の戸先側、粗の桝目格子状とした他方の端部を吊元側として支柱に吊支持してなることを特徴とするグリッド扉。
【請求項２】
上記グリッド扉を単一枚用いて片開き扉として配置してなることを特徴とする請求項１に記載のグリッド扉。
【請求項３】
上記グリッド扉を一対用いて両開き扉として配置してなることを特徴とする請求項１に記載のグリッド扉。
【請求項４】
上記一対のグリッド扉の密の桝目格子状とした端部を幅方向に対称に配置して双方の戸先側デザインを共通化してなることを特徴とする請求項３に記載のグリッド扉。
【請求項５】
所定配置ピッチの縦線及び横線をその交点で溶着して粗の桝目格子状とするとともに幅方向一方の端部近傍において上記縦線の配置ピッチを縮小するように該端部近傍にピッチ縮小用縦線を配置してその交点で上記横桟に溶着して該端部近傍を部分的に密の桝目格子状とした縦線粗密配置のグリッドパネルを形成するとともに該グリッドパネルを一対用いて、その一方のグリッドパネルに扉枠を施して、上記密の桝目格子状とした一方の端部を施錠用の戸先側、粗の桝目格子状とした他方の端部を吊元側として支柱に吊支持して片開きのグリッド扉とし、その他方のグリッドパネルを支柱に支持してグリッドフェンスとし、該グリッドフェンスを、その上記密の桝目格子状とした一方の端部を上記グリッド扉の施錠用の戸先側として、該グリッド扉に隣接して配置してなることを特徴とするグリッド扉を用いたフェンス。
【請求項６】
上記一対のグリッドパネルの密の桝目格子状とした端部を幅方向に対称に配置して双方の戸先側デザインを共通化してなることを特徴とする請求項５に記載のグリッド扉を用いたフェンス。
【発明の詳細な説明】
【技術分野】
【０００１】
本発明は、公共施設、工場、駐車場、住宅等に好適に用いられるグリッド扉及びこれを用いたフェンスに関する。
【背景技術】
【０００２】
この種のフェンスとして、所定配置ピッチの縦線及び横線をその交点で溶着して桝目格子状とした縦線密度同一にしたグリッドパネルの仕切体を形成し、該グリッドパネルを支柱に支持してグリッドフェンスとし、該グリッドフェンスを、敷地の境界を長手方向に仕切るように直列に配置したものが知られており、該フェンスは上記のように公共施設、工場、駐車場、住宅等に用いられている。このとき、上記グリッドパネルは、例えば、縦線の配置ピッチを５ｃｍ、横線の配置ピッチを１０数ｃｍ程度としたものが一般に用いられており、支柱への該グリッドパネルの支持は、所定間隔に設置した支柱の正面にグリッドパネルを金具固定してグリッドフェンスを直列に配置するフリーポールタイプといわれるもの、同じく、所定間隔に設置した支柱間にグリッドパネルを介設するように金具固定して直列に配置する間仕切りタイプといわれる構造のものとされる。
【先行技術文献】
【特許文献】
【０００３】
【特許文献１】特開２００６−２０７３３３号公報
【発明の概要】
【発明が解決しようとする課題】
【０００４】
グリッドフェンスとして用いられるグリッドパネルは、これに扉枠を付するようにすれば、開閉可能な扉として用いることが可能となり、これによって、例えば、駐車場の裏口に見られるように所定幅の出入用の開口を配置した施工形態に代えて、出入用の扉を配置したものとすることができるし、例えば、公共施設や工場の休日や夜間に扉枠の戸先側の枠、即ち、縦框と戸先側の支柱、即ち、門柱との間に施錠装置を設置することによって施錠閉鎖可能な開口を形成することができる。
【０００５】
しかし乍ら、このような施錠閉鎖可能な開口を形成するように該扉を用いると、グリッドパネルの縦線、横線の配置ピッチは、上記のように、縦線にあって５ｃｍ程度、横桟にあって１０数ｃｍ程度の密度が粗のものとするのが一般であるから、該扉に施錠装置を設置しても、例えば、道路側から縦線間のスペースから扉内側に手を差し入れ挿入して、例えば、シリンダー錠のサムターンを回動したり、打ち掛け錠を外したりして、敷地外から施錠装置が開錠され、部外者の侵入を招く可能性が残る。従って、サムターン設置のない両面シリンダー錠のように、開錠にキー操作を必要とする施錠装置を用いれば、敷地外からの開錠とこれによる侵入を防止することができるとしても、この場合、施開錠に際してキーを保持乃至持参することが必要となる上、施開錠の操作が煩雑することになって好ましくはない。
【０００６】
本発明はかかる事情に鑑みてなされたもので、その解決課題とするところは、敷地内の施開錠を容易化し得るように敷地内施開錠を手操作によってなし得るものとしても、可及的簡易且つ確実に敷地外からの開錠を不能としたグリッド扉を提供するにあり、また、該グリッド扉を用いたフェンスを提供するにある。
【課題を解決するための手段】
【０００７】
上記課題に沿って本発明は、幅方向一方の端部近傍の縦線の配置ピッチを、例えば１／２、１／３とするが如くに、面内の他の部位に比して部分的に縮小するように該部位にピッチ縮小用の縦線を追加配置して、グリッドパネルを、幅方向一方端部近傍を部分的に密の桝目格子状として、縦線と横線による桝目格子状のデザインを基調としてこれを維持しながら、その幅方向一方端部近傍を部分的に密の桝目格子状とすることによって、縦線配置を粗密２様とし、該グリッドパネルに扉枠、例えば左右の縦框と上下複数の横桟乃至横框を施してグリッド扉として、上記縦線を追加配置した密の桝目格子状側の端部を扉の施錠用の戸先とすることによって、該施錠用の戸先近傍で手の差し入れ挿入を阻止して、施錠装置の開錠を防止し得るようにするとともに、例えば、該グリッド扉を敷地の境界に連続するフェンスの一部に用いても、該桝目格子状の密部位を視認するによって遠方からも出入口の位置を識別し得るようにしたものであって、即ち、請求項１に記載の発明を、所定配置ピッチの縦線及び横線をその交点で溶着して粗の桝目格子状とするとともに幅方向一方の端部近傍において上記縦線の配置ピッチを縮小するように該端部近傍にピッチ縮小用縦線を配置してその交点で上記横桟に溶着して該端部近傍を部分的に密の桝目格子状とした縦線粗密配置のグリッドパネルを形成し、該グリッドパネルに扉枠を施して、上記密の桝目格子状とした一方の端部を施錠用の戸先側、粗の桝目格子状とした他方の端部を吊元側として支柱に吊支持してなることを特徴とするグリッド扉としたものである。
【０００８】
請求項２及び３に記載の発明は、上記に加えて、施錠装置の開錠を防止するグリッド扉の開閉形態を一般に使用される片開き扉とし、また両開き扉とするように、請求項２に記載の発明を、上記グリッド扉を単一枚用いて片開き扉として配置してなることを特徴とする請求項１に記載のグリッド扉とし、請求項３に記載の発明を、上記グリッド扉を一対用いて両開き扉として配置してなることを特徴とする請求項１に記載のグリッド扉としたものである。
【０００９】
請求項４に記載の発明は、同じく上記に加えて、上記両開き扉のグリッドパネルを、左右対称のデザインとすることによって外観を良好としたものとするように、これを、上記一対のグリッド扉の密の桝目格子状とした端部を幅方向に対称に配置して双方の戸先側デザインを共通化してなることを特徴とする請求項３に記載のグリッド扉としたものである。
【００１０】
請求項５に記載の発明は、上記グリッド扉を用い、これに同様に形成した縦線粗密のグリッドパネルをグリッドフェンスとして隣接配置し、その密の桝目格子状とした一方端部を該グリッド扉側に配置することによって、片開き扉付きのフェンスを形成するとともに該隣接配置したグリッドフェンスからの手の差し入れを同時に防止することによってその施錠装置の開錠を予防するとともに、該グリッド扉とグリッドフェンスを敷地の境界に連続するフェンスの一部に用いても、該桝目格子状の密部位を視認するによって遠方からも出入口の位置を識別し得るようにしたものとするように、これを、所定配置ピッチの縦線及び横線をその交点で溶着して粗の桝目格子状とするとともに幅方向一方の端部近傍において上記縦線の配置ピッチを縮小するように該端部近傍にピッチ縮小用縦線を配置してその交点で上記横桟に溶着して該端部近傍を部分的に密の桝目格子状とした縦線粗密配置のグリッドパネルを形成するとともに該グリッドパネルを一対用いて、その一方のグリッドパネルに扉枠を施して、上記密の桝目格子状とした一方の端部を施錠用の戸先側、粗の桝目格子状とした他方の端部を吊元側として支柱に吊支持して片開きのグリッド扉とし、その他方のグリッドパネルを支柱に支持してグリッドフェンスとし、該グリッドフェンスを、その上記密の桝目格子状とした一方の端部を上記グリッド扉の施錠用の戸先側として、該グリッド扉に隣接して配置してなることを特徴とするグリッド扉を用いたフェンスとしたものである。
【００１１】
請求項６に記載の発明は、上記に加えて、片開き扉とその戸先側に隣接したフェンスパネルの各グリッドパネルを、左右対称のデザインとすることによって外観を良好としたものとするように、これを、上記一対のグリッドパネルの密の桝目格子状とした端部を幅方向に対称に配置して双方の戸先側デザインを共通化してなることを特徴とする請求項５に記載のグリッド扉を用いたフェンスとしたものである。
【００１２】
本発明はこれらをそれぞれ発明の要旨として上記課題解決の手段としたものである。
【発明の効果】
【００１３】
本発明は以上のとおりに構成したから、請求項１に記載の発明は、幅方向一方の端部近傍の縦線の配置ピッチを、例えば１／２、１／３とするが如くに、面内の他の部位に比して部分的に縮小するように該部位にピッチ縮小用の縦線を追加配置して、グリッドパネルを、幅方向一方端部近傍を部分的に密の桝目格子状として、縦線と横線による桝目格子状のデザインを基調としてこれを維持しながら、その幅方向一方端部近傍を部分的に密の桝目格子状とすることによって、縦線配置を粗密２様とし、該グリッドパネルに扉枠、例えば左右の縦框と上下複数の横桟乃至横框を施してグリッド扉として、上記縦線を追加配置した密の桝目格子状側の端部を扉の施錠用の戸先とすることによって、該施錠用の戸先近傍で手の差し入れ挿入を阻止して、施錠装置の開錠を防止し得るようにするとともに、例えば、該グリッド扉を敷地の境界に連続するフェンスの一部に用いても、該桝目格子状の密部位を視認するによって遠方からも出入口の位置を識別し得るようにして、敷地内の施開錠を容易化し得るように敷地内施開錠を手操作によってなし得るものとしても、可及的簡易且つ確実に敷地外からの開錠を不能としたグリッド扉を提供することができる。
【００１４】
請求項２及び３に記載の発明は、上記に加えて、施錠装置の開錠を防止するグリッド扉の開閉形態を一般に使用される片開き扉とし、また両開き扉とすることができる。
【００１５】
請求項４に記載の発明は、同じく上記に加えて、上記両開き扉のグリッドパネルを、左右対称のデザインとすることによって外観を良好としたものとすることができる。
【００１６】
請求項５に記載の発明は、上記グリッド扉を用い、これに同様に形成した縦線粗密のグリッドパネルをグリッドフェンスとして隣接配置し、その密の桝目格子状とした一方端部を該グリッド扉側に配置することによって、片開き扉付きのフェンスを形成するとともに該隣接配置したグリッドフェンスからの手の差し入れを同時に防止することによってその施錠装置の開錠を予防するとともに、該グリッド扉とグリッドフェンスを敷地の境界に連続するフェンスの一部に用いても、該桝目格子状の密部位を視認するによって遠方からも出入口の位置を識別し得るようにした上記グリッド扉を用いたフェンスを提供することができる。
【００１７】
請求項６に記載の発明は、上記に加えて、片開き扉とその戸先側に隣接したフェンスパネルの各グリッドパネルを、左右対称のデザインとすることによって外観を良好としたものとすることができる。
【図面の簡単な説明】
【００１８】
【図１】両開きのグリッド扉近傍のフェンスの部分正面図である。
【図２】図１の平面図である。
【図３】グリッドパネルの正面図である。
【図４】グリッドパネルを外した扉枠、支柱部分の正面図である。
【図５】片開きのグリッド扉近傍のフェンスの部分正面図である。
【図６】図５の平面図である。
【発明を実施するための形態】
【００１９】
以下図面の例に従って本発明を更に具体的に説明すれば、図１乃至図３において、Ａはグリッド扉、Ｂ１は支柱１２によって支持したグリッドフェンス、Ｃは、これらグリッド扉Ａ及びグリッドフェンスＢ１によって形成した、敷地の境界を仕切るように配置したフェンスを示す。
【００２０】
本例にあってグリッド扉Ａは、これを一対用いて両開き扉として配置してあり、グリッドフェンスＢ１は、所定配置ピッチの、例えば３〜４ｍｍ径程度の太径、本例では３．６ｍｍ径の縦線３及び横線４をその交点で溶着して粗の桝目格子状とした常法のものを用い、これを、上記グリッド扉Ａの各吊元側に、該グリッド扉Ａに隣接配置して、上記敷地の境界を長手方向に仕切るように該グリッド扉Ａを含めて直列に配置することによって上記フェンスＣとしてある。
【００２１】
グリッド扉Ａは、所定配置ピッチの縦線３及び横線４をその交点で溶着して粗の桝目格子状とするとともに幅方向一方の端部近傍において上記縦線３の配置ピッチを縮小するように該端部近傍にピッチ縮小用縦線５を配置してその交点で上記横桟に溶着して該端部近傍を部分的に密の桝目格子状とした縦線粗密配置のグリッドパネルを形成し、該グリッドパネルに扉枠を施して、上記密の桝目格子状とした一方の端部を施錠用の戸先側、粗の桝目格子状とした他方の端部を吊元側として支柱１２に吊支持したものとしてあり、このとき、上記一対のグリッド扉Ａの密の桝目格子状とした端部を、幅方向に対称に配置して双方の戸先側デザインを共通化したものとしてある。
【００２２】
本例にあって、グリッド扉Ａのグリッドパネル  は、例えば、高さを１．７ｍ程度、幅を０．７ｍ程度として、上下に断面Ｃ字状又は断面円形に湾曲形成した胴縁６を配置した縦長矩形のものとしてあり、該グリッドパネル  は、多数の縦線３と横線４を、縦線３にあって幅方向に５ｃｍピッチに、横線４にあって上下方向に１３．５ｃｍピッチにそれぞれ平行に配置し、これら縦線３と横線４の各交点で溶接を施すことによって、上記ピッチに応じた矩形の桝目を形成した桝目格子状のものとするとともに、その幅方向一方の端部に面積比で数分の１程度、本例にあっては１／５程度の面積部分に上記ピッチ縮小用縦線、即ち、縦線３及び横線４と同様に太径、本例にあっては該縦線３及び横線４と同径としたピッチ縮小用縦線５を配置し、同様に交点で溶接を施すことによって、該面積部分を上記密の桝目格子状とし、上記ピッチによる粗の桝目格子部位１と該密の桝目格子部位２によって縦線粗密配置のものとしてある。
【００２３】
本例の密の桝目格子部位２は、上記幅方向一方の端部の、例えば上下に粗の矩形の桝目を各３段残した上下６段にして、左右に粗の矩形の桝目を８列残した左右６列に上記ピッチ縮小用縦線５を、これら桝目の左右中央位置に各１本の合計６本を配置してあり、このとき該ピッチ縮小用縦線５は、上記各上下６段の桝目に一連に配置するように、例えば、上記６段の長さの８１ｃｍ程度とした、その正面形状を矩形をなすものとしてある。
【００２４】
これによって該縦線粗密配置のグリッドパネルの縦線３と横線４は、上記幅方向５ｃｍ、上下方向１３．５ｃｍのピッチによる粗の桝目格子部位に対して、密の桝目格子部位を、幅方向２．５ｃｍ、上下方向１３．５ｃｍのピッチの配置とし、これを、幅３０ｃｍ、高さ８１ｃｍとして、グリッドパネルの幅方向一方の端部に配置したものとしてある。
【００２５】
グリッドパネルをグリッド扉Ａとする扉枠は、アルミ押出材を用いた、戸先側を幅広に、吊元側を幅狭とした左右の縦框７と、上記グリッドパネルの胴縁６を避けるように上下端近傍と中間の横桟８とによって日の文字形状をなすように形成したアルミフレームによるものとしてあり、このときグリッドパネルは、上記横桟８にそれぞれ長手方向複数個所、例えば３箇所を金具固定してあり、該金具固定は、横桟８から突出したフック９をグリッドパネルにおける横桟８位置の横線に引掛けて、横桟８側に引寄せすることによって行ってあり、該横桟８側への引寄せは、横桟８背面側でフック９の横桟貫通軸に螺装した図示省略のナットを締着することによって行ってある。
【００２６】
該グリッド扉Ａは、その上記密の桝目格子部位２を戸先側とし、粗の桝目格子部位１を吊元側として支柱１２に吊支持してあり、これによって両開き扉の中央位置にその各密の桝目格子部位２を配置したものとしてある。
【００２７】
支柱１２は、中空のアルミ押出材製のものとしてあり、本例にあって該支柱１２は、グリッドフェンスの支持に用いる間仕切りタイプのフェンス用のものを用いてあり、該支柱１２へのグリッド扉Ａの吊支持は、該支柱１２とグリッド扉Ａに固定したヒンジ金具１３によってそれぞれ開閉可能に行う一方、グリッドフェンスＢ１の支柱１２への支持は、これに巻回固定した端部バンド１４の突片に幅方向端部の縦線をボルトナットの締着によって挟持して行ってあり、このとき該グリッドフェンスＢ１は、これに隣接して、更にフェンス面方向に同一構成のグリッドフェンス（図示省略）を順次、所定間隔の支柱に同様に連結用の直線乃至コーナー用のバンドを用いて支持して、その直列の設置を行ったものとしてある。
【００２８】
図中１１はグリッド扉Ａの開閉用レバーハンドルである。
【００２９】
このように形成した両開き扉を用いた本例のフェンスＣは、例えば、施錠装置１０としてサムターン付きのシリンダー錠や打ち掛け錠を設置使用しても、両開き扉双方の戸先側の縦框７の近傍には上記密の桝目格子部位２が存在し、その桝目の縦線ピッチは２．５ｃｍであり、該部位２は幅方向に３０ｃｍ程度、上下に８０ｃｍ程度の面積のものとしてあるから、横線ピッチによっては縦線３に幾分の撓みを生じる可能性が残るとしても、人の手先から腕までの長さや手首の屈曲を考慮すると、敷地外の該部位２から手を差し入れ挿入しても、サムターンを回動し、また、打ち掛け錠を外すことはできず、従って、施錠装置１０の開錠やこれによる人の侵入を確実に防止することができる。また、両開き扉のグリッド扉Ａは、密の桝目格子状とした端部を幅方向に対称に配置して双方の戸先側デザインを共通化したことによって、該密の桝目格子部位２が左右に連続して、遠方からも該密の桝目格子部位２の視認が可能となる結果、フェンスＣの出入口の位置を容易に識別することができる一方、該両開き扉の密の桝目格子状のデザインは、グリッドフェンスＢ１の桝目格子状のデザインを基調としつつ該両開き扉に部分的に配置したことによって、該両開き扉及びフェンスＣ全体のデザインに調和した良好な外観を呈するものとすることができ、また、敷地外からの開錠防止のために、上記ピッチ縮小用縦線５を追加配置すればよく、該追加配置は、グリッドパネルの製造工程において、追加材料費程度のコストアップでなし得るから、そのコストの上昇を可及的に抑制して行うことができる。
【００３０】
図４乃至図６は、他の例を示したもので、本例にあって、フェンスＣは、上記と同様に形成した、端部近傍を部分的に密の桝目格子状とした縦線粗密配置のグリッドパネルを一対用いて、その一方のグリッドパネルに扉枠を施して、上記密の桝目格子状とした一方の端部を施錠用の戸先側、粗の桝目格子状とした他方の端部を吊元側として支柱１２に吊支持して片開きのグリッド扉Ａとし、その他方のグリッドパネルを支柱１２に支持してグリッドフェンスＢ２とし、該グリッドフェンスＢ２を、その上記密の桝目格子状とした一方の端部を上記グリッド扉Ａの施錠用の戸先側として、該グリッド扉Ａに隣接して配置したものとしてあり、このとき、上記一対のグリッドパネルの密の桝目格子状とした端部を幅方向に対称に配置して双方の戸先側デザインを共通化してある。
【００３１】
即ち、グリッド扉Ａは上記図１乃至図３のものと同一構成として、これを、支柱１２に吊支持して片開き扉とするとともにその施錠装置によって戸先側の縦框７と支柱１２間を施錠するとともに該施錠装置１０を設置した側の支柱１２にグリッドフェンスＢ２を、その密の桝目格子部位２がグリッド扉Ａ側、即ち、グリッド扉Ａの戸先側に隣接するように端部バンド１４で固定する一方、グリッド扉Ａの吊元側の支柱１２及び上記戸先側に配置したグリッドフェンスＢ２以外には、上記例と同様に粗の桝目格子状としたグリッドフェンスＢ１を、フェンスＣ幅方向に順次配置することによって、敷地の境界を長手方向に仕切るように該グリッド扉Ａを含めて直列に配置したものとしてある。
【００３２】
その余は上記図１乃至図３の例と変わらないので、重複する説明を省略する。
【００３３】
本例にあっても、該片開きのグリッド扉Ａ及びその戸先側のグリッドフェンスＢ２は、その密の桝目格子部位２から手を差し入れ挿入して、敷地外からの施錠装置を開錠することによる人の侵入を確実に防止することができ、また、該グリッド扉Ａと戸先側のグリッドフェンスＢ２は、密の桝目格子状とした端部を幅方向に対称に配置して双方の戸先側デザインを共通化したことによって、該密の桝目格子部位２が左右に連続配置することによって、同じく遠方からも該密の桝目格子部位２の視認が可能となって、フェンスＣの出入口の位置を識別することができ、更に該密の桝目格子状のデザインは、吊元側やその余のグリッドフェンスＢ１の桝目格子状のデザインを基調としつつ該片開きのグリッド扉Ａとその戸先側のグリッドフェンスＢ２に部分的に配置したことによってフェンスＣ全体のデザインに調和した良好な外観を呈し且つコストを可及的に抑制したものとすることができる。
【００３４】
図示した例は以上のとおりとしたが、端部近傍のピッチ縮小用縦線の長さを、該端部から離れるに従って短寸化するように変化して、上記矩形を呈する密の桝目格子部位に代えて、例えば半円形を呈するものとするように該縦線を配置すること、端部近傍のピッチ縮小用縦線の配置を、粗の桝目格子部位の縦線配置ピッチを３区分するようにすること、横線の配置ピッチが大のとき、必要に応じて密の桝目格子部位にピッチ縮小用横桟を配置して、該横線配置ピッチに起因する縦線の撓みの可能性を解消するようにすること等を含めて、本発明の実施に当って、グリッド扉、縦線、横線、その配置ピッチ、ピッチ縮小用縦線、該縦線を配置した縦線粗密配置のグリッドパネル、扉枠、支柱、グリッドフェンスの各具体的形状、構造、材質、これらの関係、これらに対する付加等は、上記発明の要旨に反しない限り様々な形態のものとすることができる。
【符号の説明】
【００３５】
Ａ  グリッド扉
Ｂ１  グリッドフェンス
Ｂ２  グリッドフェンス
Ｃ  フェンス
１  粗の桝目格子部位
２  密の桝目格子部位
３  縦線
４  横線
５  ピッチ縮小用縦線
６  胴縁
７  縦框
８  横桟
９  フック
１０  施錠装置
１１  レバーハンドル
１２  支柱
１３  ヒンジ金具
１４  端部バンド
【図１】
0005386709.tif 000002
【図２】
0005386709.tif 000003
【図３】
0005386709.tif 000004
【図４】
0005386709.tif 000005
【図５】
0005386709.tif 000006
【図６】
0005386709.tif 000007